【手続補正書】
【提出日】平成16年9月29日(2004.9.29)
【手続補正１】
【補正対象書類名】明細書
【補正対象項目名】発明の名称
【補正方法】変更
【補正の内容】
【発明の名称】ビデオエンコーダ回路及びデジタルカメラ
【手続補正２】
【補正対象書類名】明細書
【補正対象項目名】特許請求の範囲
【補正方法】変更
【補正の内容】
【特許請求の範囲】
【請求項１】
ＹＵＶ信号をＲＧＢ信号に変換する変換手段と、
この変換手段で得たＲＧＢ信号のγ特性を補正するγ補正手段と、
このγ補正手段で補正されたＲＧＢ信号の各ゲインを調整するゲイン調整手段と、
このゲイン調整手段を経たＲＧＢ信号の水平同期タイミング及びフィールド切換タイミング毎に反転する反転信号を生成する反転信号生成手段と、
この反転信号生成手段で得た反転信号に基づいて上記ゲイン調整手段を経たＲＧＢ信号を所定タイミングで極性反転する反転手段と
を同一集積回路内に具備したことを特徴とするビデオエンコーダ回路。
【請求項２】
上記ＹＵＶ信号中のＵ，Ｖ成分の各ゲインを調整する第２のゲイン調整手段をさらに同一集積回路内に具備し、
この第２のゲイン調整手段を上記変換手段の前段に配設することを特徴とする請求項１記載のビデオエンコーダ回路。
【請求項３】
上記反転手段を経たデジタル値のＲＧＢ信号をアナログ値のＲＧＢ信号に変換するアナログ変換手段をさらに同一集積回路内に具備しことを特徴とする請求項１または２記載のビデオエンコーダ回路。
【請求項４】
請求項３記載のビデオエンコーダ回路を備えたデジタルカメラであって、上記アナログ変換手段で得たアナログ値のＲＧＢ信号を液晶表示パネルの駆動回路へ供給するように構成したことを特徴とするデジタルカメラ。
【請求項５】
請求項１または２記載のビデオエンコーダ回路を備えたデジタルカメラであって、上記反転手段を経たデジタル値のＲＧＢ信号を、デジタル信号で動作する液晶表示パネルの駆動回路へ供給するように構成したことを特徴とするデジタルカメラ。
【請求項６】
ビデオエンコーダ回路を備えたデジタルカメラにおいて、
撮影により得られたデジタル値のＹＵＶ信号をデジタル値のＲＧＢ信号に変換する変換手段と、
この変換手段で得たデジタル値のＲＧＢ信号を、デジタル信号で動作する液晶表示パネルの駆動回路へ供給する供給手段と、
を具備したことを特徴とするデジタルカメラ。
【請求項７】
上記変換手段で得たデジタル値のＲＧＢ信号を調整する調整手段をさらに具備し、
上記供給手段は、上記調整手段を経たデジタル値のＲＧＢ信号を、デジタル信号で動作する液晶表示パネルの駆動回路へ供給することを特徴とする請求項６記載のデジタルカメラ。
【請求項８】
上記調整手段は、
上記変換手段で得たデジタル値のＲＧＢ信号のγ特性を補正するγ補正手段と、
このγ補正手段で補正されたデジタル値のＲＧＢ信号の各ゲインを調整するゲイン調整手段と、
このゲイン調整手段を経たデジタル値のＲＧＢ信号の水平同期タイミング及びフィールド切換タイミング毎に反転する反転信号を生成する反転信号生成手段と、
この反転信号生成手段で得た反転信号に基づいて上記ゲイン調整手段を経たデジタル値のＲＧＢ信号を所定タイミングで極性反転する反転手段とを含み、
上記供給手段は、上記反転手段を経たデジタル値のＲＧＢ信号を、デジタル信号で動作する液晶表示パネルの駆動回路へ供給することを特徴とする請求項７記載のデジタルカメラ。
【手続補正３】
【補正対象書類名】明細書
【補正対象項目名】０００１
【補正方法】変更
【補正の内容】
【０００１】
【発明の属する技術分野】
本発明は、ＹＵＶ信号からＲＧＢ信号を生成するビデオエンコーダ回路及びデジタルカメラに関する。
【手続補正４】
【補正対象書類名】明細書
【補正対象項目名】００１８
【補正方法】変更
【補正の内容】
【００１８】
本発明は上記のような実情に鑑みてなされたもので、その目的とするところは、小さな回路規模としながらも、各種調整を行なうことが可能なビデオエンコーダ回路及びデジタルカメラを提供することにある。
【手続補正５】
【補正対象書類名】明細書
【補正対象項目名】００１９
【補正方法】変更
【補正の内容】
【００１９】
【課題を解決するための手段】
請求項１記載の発明は、ＹＵＶ信号をＲＧＢ信号に変換する変換手段と、この変換手段で得たＲＧＢ信号のγ特性を補正するγ補正手段と、このγ補正手段で補正されたＲＧＢ信号の各ゲインを調整するゲイン調整手段と、このゲイン調整手段を経たＲＧＢ信号の水平同期タイミング及びフィールド切換タイミング毎に反転する反転信号を生成する反転信号生成手段と、この反転信号生成手段で得た反転信号に基づいて上記ゲイン調整手段を経たＲＧＢ信号を所定タイミングで極性反転する反転手段とを同一集積回路内に具備したことを特徴とする。
また、請求項２記載の発明は、上記請求項１記載の発明において、上記ＹＵＶ信号中のＵ，Ｖ成分の各ゲインを調整する第２のゲイン調整手段をさらに同一集積回路内に具備し、この第２のゲイン調整手段を上記変換手段の前段に配設することを特徴とする。
【手続補正６】
【補正対象書類名】明細書
【補正対象項目名】００２０
【補正方法】変更
【補正の内容】
【００２０】
また、請求項３記載の発明は、上記請求項１または２記載の発明において、上記反転手段を経たデジタル値のＲＧＢ信号をアナログ値のＲＧＢ信号に変換するアナログ変換手段をさらに同一集積回路内に具備したことを特徴とする。
また、請求項４記載の発明は、上記請求項３記載のビデオエンコーダ回路を備えたデジタルカメラであって、上記アナログ変換手段で得たアナログ値のＲＧＢ信号を液晶表示パネルの駆動回路へ供給するように構成したことを特徴とする。
【手続補正７】
【補正対象書類名】明細書
【補正対象項目名】００２１
【補正方法】変更
【補正の内容】
【００２１】
また、請求項５記載の発明は、上記請求項１または２記載のビデオエンコーダ回路を備えたデジタルカメラであって、上記反転手段を経たデジタル値のＲＧＢ信号を、デジタル信号で動作する液晶表示パネルの駆動回路へ供給するように構成したことを特徴とする。
また、請求項６記載の発明は、ビデオエンコーダ回路を備えたデジタルカメラにおいて、撮影により得られたデジタル値のＹＵＶ信号をデジタル値のＲＧＢ信号に変換する変換手段と、この変換手段で得たデジタル値のＲＧＢ信号を、デジタル信号で動作する液晶表示パネルの駆動回路へ供給する供給手段とを具備したことを特徴とする。
【手続補正８】
【補正対象書類名】明細書
【補正対象項目名】００２２
【補正方法】変更
【補正の内容】
【００２２】
また、請求項７記載の発明は、上記請求項６記載の発明において、上記変換手段で得たデジタル値のＲＧＢ信号を調整する調整手段をさらに具備し、上記供給手段は、上記調整手段を経たデジタル値のＲＧＢ信号を、デジタル信号で動作する液晶表示パネルの駆動回路へ供給することを特徴とする。
また、請求項８記載の発明は、上記請求項７記載の発明において、上記調整手段は、上記変換手段で得たデジタル値のＲＧＢ信号のγ特性を補正するγ補正手段と、このγ補正手段で補正されたデジタル値のＲＧＢ信号の各ゲインを調整するゲイン調整手段と、このゲイン調整手段を経たデジタル値のＲＧＢ信号の水平同期タイミング及びフィールド切換タイミング毎に反転する反転信号を生成する反転信号生成手段と、この反転信号生成手段で得た反転信号に基づいて上記ゲイン調整手段を経たデジタル値のＲＧＢ信号を所定タイミングで極性反転する反転手段とを含み、上記供給手段は、上記反転手段を経たデジタル値のＲＧＢ信号を、デジタル信号で動作する液晶表示パネルの駆動回路へ供給することを特徴とする。
【手続補正９】
【補正対象書類名】明細書
【補正対象項目名】００５１
【補正方法】変更
【補正の内容】
【００５１】
【発明の効果】
以上詳述したように本発明によれば、出力したＲＧＢ信号を表示対象となる液晶表示パネルの駆動回路に直接供給することができ、小さな回路規模としながらも表示対象の特性等に対応した各種調整を行なうことが可能となる。
【手続補正１０】
【補正対象書類名】明細書
【補正対象項目名】００５２
【補正方法】変更
【補正の内容】
【００５２】
さらに表示対象となる液晶表示パネルに最適なカラーレベルとなるように調整することも可能となる。